(57)【要約】【課題】指定の撮影倍率による所定の撮影で得られる撮影画像と同等の画像を簡易に取得できる撮像装置の技術を提供する。【解決手段】撮像装置においては、例えばボタンＢ１を選択し１３５フィルムシステムでの撮影倍率を等倍(×１)に設定した後にシャッタボタン４が操作(半押し)される場合には、トリミング枠ＴＦがライブビュー画像ＰＩに重畳して表示画面ＤＳに表示される。このトリミング枠ＴＦは、指定の撮影倍率で１３５フィルムを用いた撮影が行われる場合の撮影範囲を示すものである。そして、本撮影後にトリミングＴＦ内の画像をトリミングすれば、指定の撮影倍率による１３５フィルムの写真撮影で得られる撮影画像と同等の画像を簡易に取得できることとなる。【選択図】図６
2006324867.tif 000002
【特許請求の範囲】
【請求項１】
画像表示が可能な表示手段を有する撮像装置であって、
(a)撮影光学系を介して被写体を撮像し、被写体画像を取得する撮像素子と、
(b)撮影倍率を指定する指定手段と、
(c)被写体に対する前記撮像装置での合焦後に、前記指定手段により指定された撮影倍率で当該被写体に対する所定の撮影が行われる場合の撮影範囲を求める演算手段と、
(d)本撮影前の撮影準備状態において前記表示手段に前記撮像素子で取得される被写体画像を表示させるとともに、前記演算手段で求められた撮影範囲を示す表示を行わせる表示制御手段と、
を備えることを特徴とする撮像装置。
【請求項２】
請求項１に記載の撮像装置において、
前記所定の撮影は、１３５フィルムを用いた撮影と同等の撮影倍率の撮影であることを特徴とする撮像装置。
【請求項３】
請求項１または請求項２に記載の撮像装置において、
(e)前記被写体を本撮影して得られた被写体画像から前記撮影範囲に対応した画像部分を抽出し所定の記録手段に記録させる記録制御手段、
をさらに備えることを特徴とする撮像装置。
【請求項４】
請求項１または請求項２に記載の撮像装置において、
(f)前記被写体を本撮影して得られた被写体画像と前記撮影範囲の情報とを所定の記録手段に記録させる記録制御手段、
をさらに備えることを特徴とする撮像装置。
【請求項５】
請求項３または請求項４に記載の撮像装置において、
前記記録制御手段は、
前記撮影倍率の情報を前記所定の記録手段に記録させる手段、
を有することを特徴とする撮像装置。
【請求項６】
請求項１ないし請求項５のいずれかに記載の撮像装置において、
前記撮影光学系にはアタッチメントレンズが装着可能であり、
前記演算手段は、
(c-1)前記撮影光学系に装着されたアタッチメントレンズの情報を取得する手段と、
(c-2)前記アタッチメントレンズの情報に基づき、前記撮影範囲を求める手段と、
を有することを特徴とする撮像装置。
【請求項７】
請求項６に記載の撮像装置において、
前記アタッチメントレンズは、クローズアップレンズであることを特徴とする撮像装置。
【請求項８】
請求項１ないし請求項７のいずれかに記載の撮像装置において、
(g)前記演算手段で求められた撮影範囲が前記撮像素子による被写体の撮像範囲からはみ出す場合には、警告または前記撮影光学系の焦点距離の変更を行う手段、
をさらに備えることを特徴とする撮像装置。
【請求項９】
請求項１ないし請求項８のいずれかに記載の撮像装置と、プリント装置と有するプリントシステムであって、
前記プリント装置は、
プリント倍率を設定する設定手段と、
前記撮像装置で取得した被写体画像のうち前記撮影範囲に対応した画像部分について前記プリント倍率によるプリントを行うプリント手段と、
を備えることを特徴とするプリントシステム。
【請求項１０】
請求項９に記載のプリントシステムにおいて、
前記設定手段は、
複数のプリント倍率を設定する手段、
を有し、
前記プリント手段は、
１の用紙に前記複数のプリント倍率それぞれによる前記画像部分のプリントを行う手段、
を有することを特徴とするプリントシステム。
【請求項１１】
請求項９または請求項１０に記載のプリントシステムにおいて、
前記プリント手段は、
前記画像部分のプリントとともに前記被写体の大きさに関する指標のプリントを行う手段、
を有することを特徴とするプリントシステム。
【請求項１２】
プリント装置に内蔵されたコンピュータにおいて実行されることにより、当該プリント装置を請求項９ないし請求項１１のいずれかに記載のプリント装置として機能させることを特徴とするプログラム。
【発明の詳細な説明】
【技術分野】
【０００１】
本発明は、画像表示が可能な表示手段を有する撮像装置の技術に関する。
【背景技術】
【０００２】
電子カメラで取得された被写体画像については、被写体(実物)と同じ大きさ、または指定倍率による大きさでプリントする技術が例えば特許文献１に開示されている。
【０００３】
一方、歯科医療における歯列等の写真撮影では、被写体の大きさを推定できるように例えば１３５フィルムを用いた定倍率の撮影が行われている。これにより、フィルム画像から被写体の大きさを容易に把握できる。
【０００４】
【特許文献１】特開２００２−３０５６７５号公報
【発明の開示】
【発明が解決しようとする課題】
【０００５】
しかしながら、上記の歯科医療での撮影をデジタルカメラ(撮像装置)で行う場合には、１３５フィルムと大きさが相違する撮像素子を用いて被写体を撮影するため、指定の撮影倍率による１３５フィルムの写真撮影で得られる撮影画像と同等の画像を取得するのは難しい。
【０００６】
本発明は、上記課題に鑑みてなされたものであり、指定の撮影倍率による所定の撮影で得られる撮影画像と同等の画像を簡易に取得できる撮像装置の技術を提供することを目的とする。
【課題を解決するための手段】
【０００７】
上記の課題を解決するため、請求項１の発明は、画像表示が可能な表示手段を有する撮像装置であって、(a)撮影光学系を介して被写体を撮像し、被写体画像を取得する撮像素子と、(b)撮影倍率を指定する指定手段と、(c)被写体に対する前記撮像装置での合焦後に、前記指定手段により指定された撮影倍率で当該被写体に対する所定の撮影が行われる場合の撮影範囲を求める演算手段と、(d)本撮影前の撮影準備状態において前記表示手段に前記撮像素子で取得される被写体画像を表示させるとともに、前記演算手段で求められた撮影範囲を示す表示を行わせる表示制御手段とを備える。
【０００８】
また、請求項２の発明は、請求項１の発明に係る撮像装置において、前記所定の撮影は、１３５フィルムを用いた撮影と同等の撮影倍率の撮影である。
【０００９】
また、請求項３の発明は、請求項１または請求項２の発明に係る撮像装置において、(e)前記被写体を本撮影して得られた被写体画像から前記撮影範囲に対応した画像部分を抽出し所定の記録手段に記録させる記録制御手段をさらに備える。
【００１０】
また、請求項４の発明は、請求項１または請求項２の発明に係る撮像装置において、(f)前記被写体を本撮影して得られた被写体画像と前記撮影範囲の情報とを所定の記録手段に記録させる記録制御手段をさらに備える。
【００１１】
また、請求項５の発明は、請求項３または請求項４の発明に係る撮像装置において、前記記録制御手段は、前記撮影倍率の情報を前記所定の記録手段に記録させる手段を有する。
【００１２】
また、請求項６の発明は、請求項１ないし請求項５のいずれかの発明に係る撮像装置において、前記撮影光学系にはアタッチメントレンズが装着可能であり、前記演算手段は、(c-1)前記撮影光学系に装着されたアタッチメントレンズの情報を取得する手段と、(c-2)前記アタッチメントレンズの情報に基づき、前記撮影範囲を求める手段とを有する。
【００１３】
また、請求項７の発明は、請求項６の発明に係る撮像装置において、前記アタッチメントレンズは、クローズアップレンズである。
【００１４】
また、請求項８の発明は、請求項１ないし請求項７のいずれかの発明に係る撮像装置において、(g)前記演算手段で求められた撮影範囲が前記撮像素子による被写体の撮像範囲からはみ出す場合には、警告または前記撮影光学系の焦点距離の変更を行う手段をさらに備える。
【００１５】
また、請求項９の発明は、請求項１ないし請求項８のいずれかの発明に係る撮像装置と、プリント装置と有するプリントシステムであって、前記プリント装置は、プリント倍率を設定する設定手段と、前記撮像装置で取得した被写体画像のうち前記撮影範囲に対応した画像部分について前記プリント倍率によるプリントを行うプリント手段とを備える。
【００１６】
また、請求項１０の発明は、請求項９の発明に係るプリントシステムにおいて、前記設定手段は、複数のプリント倍率を設定する手段を有し、前記プリント手段は、１の用紙に前記複数のプリント倍率それぞれによる前記画像部分のプリントを行う手段を有する。
【００１７】
また、請求項１１の発明は、請求項９または請求項１０の発明に係るプリントシステムにおいて、前記プリント手段は、前記画像部分のプリントとともに前記被写体の大きさに関する指標のプリントを行う手段を有する。
【００１８】
また、請求項１２の発明は、プリント装置に内蔵されたコンピュータにおいて実行されることにより、当該プリント装置を請求項９ないし請求項１１のいずれかの発明に係るプリント装置として機能させるプログラムである。
【発明の効果】
【００１９】
請求項１ないし請求項１２の発明によれば、被写体に対する撮像装置での合焦後に、指定された撮影倍率で当該被写体に対する所定の撮影が行われる場合の撮影範囲を求め、本撮影前の撮影準備状態において表示手段に撮像素子で取得される被写体画像を表示させるとともに、求められた撮影範囲を示す表示を行わせる。これにより、被写体画像から撮影範囲内の画像部分を抽出すると、指定の撮影倍率による所定の撮影で得られる撮影画像と同等の画像を簡易に取得できる。
【００２０】
特に、請求項２の発明においては、所定の撮影が１３５フィルムを用いた撮影であるため、歯科医療現場で一般的に行われてきた写真撮影により得られる撮影画像と同等の画像を簡易に取得できる。
【００２１】
また、請求項３の発明においては、被写体を本撮影して得られた被写体画像から撮影範囲に対応した画像部分を抽出し所定の記録手段に記録させるため、記録画像のデータサイズを削減できる。
【００２２】
また、請求項４の発明においては、被写体を本撮影して得られた被写体画像と撮影範囲の情報とを所定の記録手段に記録させるため、記録後に撮影範囲に対応した画像を生成できるとともに、被写体画像全体の確認も可能となる。
【００２３】
また、請求項５の発明においては、撮影倍率の情報を所定の記録手段に記録させるため、画像再生時等において撮影倍率を認識できる。
【００２４】
また、請求項６の発明においては、撮影光学系に装着されたアタッチメントレンズの情報を取得し、このアタッチメントレンズの情報に基づき撮影範囲を求めるため、アタッチメントレンズが装着される場合でも、精度良く撮影範囲を求めることができる。
【００２５】
また、請求項７の発明においては、アタッチメントレンズがクローズアップレンズであるため、近接撮影を容易に行える。
【００２６】
また、請求項８の発明においては、演算手段で求められた撮影範囲が撮像素子による被写体の撮像範囲からはみ出す場合には、警告または撮影光学系の焦点距離の変更を行うため、撮影範囲に対応した画像の取得を確実に行える。
【００２７】
また、請求項９の発明においては、撮像装置で取得した被写体画像のうち撮影範囲に対応した画像部分について、設定されたプリント倍率によるプリントを行うため、所望のプリント倍率で撮影範囲内の画像をプリントできる。
【００２８】
また、請求項１０の発明においては、１の用紙に複数のプリント倍率それぞれによる画像部分のプリントを行うため、利便性が向上する。
【００２９】
また、請求項１１の発明においては、画像部分のプリントとともに前記被写体の大きさに関する指標のプリントを行うため、被写体の大きさを容易に把握できる。
【発明を実施するための最良の形態】
【００３０】
＜プリントシステムの要部構成＞
図１は、本発明の実施形態に係るプリントシステム１の外観構成を示す概略図である。
【００３１】
プリントシステム１は、例えばデジタルカメラとして構成される撮像装置２と、パーソナルコンピュータ(以下では「ＰＣ」とも略記する)５とを備えている。以下では、撮像装置２およびＰＣ５の要部構成について順に説明する。
【００３２】
図２は、撮像装置２の要部構成を示す斜視図である。図２に示すように、撮像装置２のカメラ本体２ｂは、その前面側に撮影レンズ３が配置され、上面側にシャッタボタン４と、外部フラッシュを接続するためのフラッシュ接続部８０とが配置されている。
【００３３】
撮影レンズ３は一般的な被写体を撮影するための撮影光学系として機能し、その撮影可能範囲は、撮影レンズ前方に数十ｃｍ程度である最近接位置から無限遠方までの範囲となっている。撮影レンズ３の内部には焦点調節を行うためのフォーカシングレンズ３１(図３)と、ズームレンズ３２(図３)と絞り板とが設けられており、フォーカシングレンズ３１を光軸Ｌに沿って移動させることにより最近接位置から無限遠方までの任意の位置にある被写体を良好に合焦状態に導くことができる。また、ズームレンズ３２を光軸Ｌに沿って移動させることにより、撮影レンズ３の焦点距離が変化して撮影倍率を調整できる。
【００３４】
撮影レンズ３にはフォーカスリング３ａが設けられており、該フォーカスリング３ａを撮影者が手動操作で回動させることにより、撮影レンズ３内のフォーカシングレンズ３１を光軸Ｌに沿って移動させることができ、フォーカス状態の手動設定が可能となる（マニュアルフォーカス機能）。また撮像装置２は、オートフォーカス機能も備えており、例えば撮影者がシャッタボタン４を半押し状態にしたときに、オートフォーカス制御が開始されて、自動合焦つまり自動的に被写体像が合焦状態に導かれる。なお、オートフォーカス（ＡＦ）モードとマニュアルフォーカス（ＭＦ）モードとは、操作部２４(図３)に対する操作によって切替え可能となっている。
【００３５】
シャッタボタン４は、半押し(Ｓ１オン)状態と全押し(Ｓ２オン)状態との２段階を区別して検知可能な押し込みスイッチであり、半押し状態のときに上記のＡＦモードが設定されている場合にはオートフォーカス動作が実行され、全押し状態のときには記録用画像を取得するための本撮影動作が開始される。なお、図３に示す電子ファインダ１７や液晶ディスプレイ１８に被写体画像を動画的態様で表示するライブビュー表示（プレビュー表示）は電源投入時から行われる。
【００３６】
撮影レンズ３の前端部（対物側端部）は、アタッチメントレンズであるコンバージョンレンズが装着可能なように構成されており、本実施形態においてはクローズアップレンズ６が撮影レンズ３の前端部に装着される。クローズアップレンズ６は、近距離撮影を行うための光学レンズであり、撮像装置２の撮影可能範囲を、数ｃｍ程度から数ｍ程度までの近距離領域（マクロ領域）に変換する光学系である。そのため、クローズアップレンズ６を撮影レンズ３に装着することにより、撮像装置２は上記の近距離領域内にある被写体については良好に合焦状態に導くことができるが、近距離領域外にある被写体についてはフォーカシングレンズ３１を移動させても合焦状態を実現することができなくなる。換言すれば、クローズアップレンズ６を撮影レンズ３に装着することにより、撮像装置２の光学系は近距離撮影に適した構成となる。
【００３７】
クローズアップレンズ６の前端部は、近距離撮影用のフラッシュ発光装置７を装着可能なように構成されている。フラッシュ発光装置７は、フラッシュを発光する発光部７ａと、クローズアップレンズ６の前端部に装着されるリング部材７ｂと、該リング部材７ｂに接続されて発光部７ａを支持するアーム７ｃとを備えて構成される。そして、複数の発光部７ａは光軸Ｌに対して対称な位置に配置され、各発光部７ａの光軸Ｌからの距離が等しくなるように構成されている。また、発光部７ａとアーム７ｃとは、回動部材７ｄを介して連結されており、光軸Ｌに対する発光部７ａの設置角度が任意に調整できる構造となっている。
【００３８】
また、カメラ本体２ｂのフラッシュ接続部８０には、フラッシュ発光装置７の発光制御を行うためのフラッシュ制御部８が装着される。このフラッシュ制御部８には、発光部７ａに発光電力を供給するための電源などが内蔵されており、図１に示すようにフラッシュ制御部８と発光部７ａとがケーブル９を介して電気的に接続されることにより、フラッシュ制御部８が発光部７ａの発光制御を行えることとなる。
【００３９】
そして図１に示すように、撮影レンズ３に対してクローズアップレンズ６が装着され、クローズアップレンズ６に対してフラッシュ発光装置７が装着されるとともに、フラッシュ制御部８がカメラ本体２ｂに取り付けられることにより、撮像装置２は近距離撮影においてフラッシュ撮影を行うことができるハードウェア構成となる。
【００４０】
なお、撮像装置２においてフラッシュ撮影を行う場合の制御方法として、調光制御とフラッシュマティック制御とがあり、撮像装置２にクローズアップレンズ６が取り付けられていないときには調光制御が採用され、例えば撮影前に発光部７ａのプリ発光を行ってその反射光を測定することにより、本撮影時におけるフラッシュの発光量が決定される。一方、撮像装置２にクローズアップレンズ６が取り付けられ、近距離領域にある被写体をフラッシュ撮影するときにはフラッシュマティック制御が採用され、例えば被写体までの距離に基づいてフラッシュの発光量が決定される。
【００４１】
図３は、撮像装置２の機能構成を示すブロック図である。本図については、クローズアップレンズ６、フラッシュ発光装置７及びフラッシュ制御部８がカメラ本体２ｂに取り付けられた状態における撮像装置２の機能構成を示している。
【００４２】
上述のように、撮影レンズ３には、開口径を調整可能な絞り板３０と、撮像素子１０に結像される被写体像のフォーカス状態を調整するためのフォーカシングレンズ３１とズーミングを行うためのズームレンズ３２とが設けられている。撮像素子１０は、例えばアスペクト比４：３のＣＣＤイメージセンサとして構成されており、クローズアップレンズ６及び撮影レンズ３を介して入射する光を受光して電気的な画像信号を生成する。
【００４３】
撮像素子１０で取得された被写体画像の電気信号は、ＣＤＳ回路（相関二重サンプリング回路）１１において所定の信号処理が施された後、ＡＧＣ回路（オートゲインコントロール回路）１２において画像信号に対するゲイン付与が行われて、信号レベルが調整される。ＡＧＣ回路１２において適用されるゲインは、撮像素子１０の感度を調整するためのものであり、その値は撮影制御部２０によって設定される。そしてＡＧＣ回路１２で信号レベルの調整がなされた画像信号は、Ａ／Ｄ変換器１３においてアナログ信号からデジタル信号に変換された後、一時的に画像メモリ１４に格納される。
【００４４】
画像処理部１５は、例えばマイクロコンピュータとして働くＣＰＵおよびメモリを有し種々の画像処理を行えるように構成されており、画像処理された画像信号を、電子ファインダ１７、液晶ディスプレイ１８、メモリカード９２または撮影制御部２０に出力する。例えば撮像装置２の背面側には、撮影者が画像の確認をできるように電子ファインダ１７や液晶ディスプレイ１８が設けられているが、撮影して得られた画像をこれらの表示手段に表示するために、各表示手段での表示に適した画像処理が画像処理部１５で実行される。また、撮影動作によって取得された画像信号を、記録媒体(記録手段)として働くメモリカード９２に記録する際には、画像信号の圧縮処理等を行ったうえでメモリカード９２に記録される。さらに、オートフォーカス時には、撮像素子１０から得られた画像から所定のフォーカス領域に相当する部分画像を抽出して撮影制御部２０に出力する。
【００４５】
画像処理部１５は、ＯＳＤ(オン・スクリーン・ディスプレイ)部１６を有しているが、このＯＳＤ部１６では、各種の文字や記号、フレーム等を生成し、表示画像の任意位置に重ねることが可能である。このＯＳＤ部３７により、ライブビュー画像ＰＩに後述のトリミング枠を重畳させて電子ファインダ１７や液晶ディスプレイ１８に表示できることとなる。なお、電子ファインダ１７および液晶ディスプレイ１８の表示画面ＤＳは、撮像素子１０と同一のアスペクト比４：３を有しているものとする。
【００４６】
撮影制御部２０はマイクロコンピュータ等によって構成され、撮像装置２における撮影動作を統括的に制御するものであり、後述の撮影範囲を求める演算部２１を有している。また、撮影制御部２０は、撮像装置２に対してクローズアップレンズ６が装着されていないときには、近接位置から無限遠方までの任意の位置にある被写体を最適な状態で撮影できるように制御する。一方、クローズアップレンズ６が撮像装置２に装着されたときには、クローズアップレンズ６によって規定される近距離領域内に位置する被写体を最適な状態で撮影できるように制御する。
【００４７】
また、撮影制御部２０は、オートフォーカス時には、フォーカシングレンズ３１を所定ピッチで移動させ、画像処理部１５から逐次入力する部分画像のコントラストを算出して、そのコントラストが最大となる位置を合焦位置として特定する。そして最終的にフォーカシングレンズ３１をその合焦位置に移動させることで、撮像素子１０に結像される被写体像を合焦状態に導く。
【００４８】
絞りドライバ２５は、撮影レンズ３に設けられている絞り板３０を駆動することにより、絞り板３０の開口径を調整するものであり、撮影制御部２０からの指令に基づいて絞り板３０を駆動する。
【００４９】
フォーカスモータ２６は、オートフォーカス制御時に、撮影レンズ３０に設けられているフォーカシングレンズ３１を光軸Ｌに沿って所定ピッチで移動させるものであり、撮影制御部２０から指令される移動方向及び移動量に基づいて、フォーカシングレンズ３１の駆動を行う。ただし、上述のように、フォーカシングレンズ３１は撮影者がフォーカスリング３ａをマニュアル操作することによっても光軸Ｌに沿った方向に移動される。
【００５０】
タイミングジェネレータ２７は、撮影制御部２０からの撮影指示に基づき、撮像素子１０に対して露光開始及び終了のタイミング信号を送出するものである。
【００５１】
装着検知部２８は、撮影レンズ３に対してコンバージョンレンズが装着されたことを検知する部位であり、レンズの装着を検知すると、例えばコンバージョンレンズに内蔵されるＲＯＭ(不図示)からレンズ固有の情報を読み出して装着レンズの種類等を特定する。そして、装着検知部２８において取得された情報は撮影制御部２０に送られる。
【００５２】
距離検出部２９は、フォーカシングレンズ３１による被写体のフォーカス状態に基づいて、被写体までの距離情報を生成するものである。具体的には、オートフォーカス若しくはマニュアルフォーカスでフォーカシングレンズ３１の位置が決定された場合、距離検出部２９は、そのレンズ位置から、撮影レンズ３の撮影可能範囲において被写体がどの位置にあるかを判定し、距離情報を生成する。そして距離検出部２９で得られた距離情報は撮影制御部２０に出力される。
【００５３】
操作部２４は、撮像装置２に対して撮影者が各種操作入力を行うための操作部材であり、上記シャッタボタン４を含む各種の操作ボタンを有しており、操作部２４を操作することによってズーミングや、撮影モード・再生モードの切替えなどを行える。
【００５４】
メモリ２２は撮影制御部２０に用いられる制御データを格納する記憶手段であり、例えば、装着レンズＬＵＴ（ルックアップテーブル）２３ａや主点間距離ＬＵＴ２３ｂ(後述)が記憶されている。装着レンズＬＵＴ２３ａは、撮影レンズ３に装着されるコンバージョンレンズに関する情報をテーブルデータとして記憶するものであり、本実施形態ではクローズアップレンズ６に関する情報が記憶される。
【００５５】
図１に戻ってＰＣ５の要部構成を説明する。
【００５６】
ＰＣ５は、箱状の形状を有する処理部５０と、操作部５１と、表示部５２と、処理部５０とケーブルＣＢを介してデータ伝送可能に接続するプリンタとして構成される印刷部５７とを備えている。
【００５７】
処理部５０の前面には、光ディスク９１を挿入するドライブ５０１と、メモリカード９２を挿入するドライブ５０２とが設けられている。
【００５８】
操作部５１は、マウス５１１とキーボード５１２とを有しており、ユーザからのＰＣ５に対する操作入力を受付ける。
【００５９】
表示部５２は、例えばＣＲＴモニタで構成され、表示手段として機能する。
【００６０】
図４は、ＰＣ５の機能構成を示すブロック図である。
【００６１】
ＰＣ５は、上記の操作部５１および表示部５２、印刷部５７に接続する制御部５４を備えている。また、ＰＣ５は、制御部５４に伝送可能に接続する記憶部５５と、入出力Ｉ／Ｆ５６とを備えている。
【００６２】
記憶部５５は、例えばハードディスクとして構成されており、後述する印刷プログラムＰＧなどを格納する。
【００６３】
入出力Ｉ／Ｆ５６は、ドライブ５０１、５０２を介して、記録媒体である光ディスク９１、撮像装置２に装着されていたメモリカード９２に対するデータの入出力を行うためのインターフェースである。この入出力Ｉ／Ｆ５６を介して、例えばメモリカード９２に記録されている画像データ等を画像処理装置２が取得できることとなる。
【００６４】
制御部５４は、コンピュータとして働くＣＰＵ５４１およびメモリ５４２を有しており、ＰＣ５の動作を統括制御する部位である。この制御部５４で記憶部５５内の印刷プログラムＰＧが実行されることにより、後述するトリミング画像のプリントを印刷部(プリント手段)５７で行わせることが可能となる。
【００６５】
制御部５４のメモリ５４２には、光ディスク９１に記録されている印刷プログラムＰＧのデータを入出力Ｉ／Ｆ５６を介してインストールできる。これにより、この格納したプログラムをプリント装置として機能するＰＣ５の動作に反映できる。
【００６６】
＜トリミング枠の表示について＞
撮像装置２では、指定の撮影倍率で１３５フィルムシステム対応の撮影が行われる場合の撮影範囲を示す矩形状のトリミング枠をライブビュー画像に重畳して表示できる構成となっているが、このトリミン枠の表示について以下で詳しく説明する。
【００６７】
撮像装置２における本撮影前のライブビュー撮影時には、図５に示すように１３５フィルムを用いた撮影での撮影倍率を指定するためのユーザ・インターフェース(ＵＩ)として働くボタン群ＢＧがライブビュー画像ＰＩとともに電子ファインダ１７や液晶ディスプレイ１８の表示画面ＤＳに表示される。
【００６８】
ここで、操作部２４の操作によってボタン群ＢＧから例えばボタンＢ１を選択し１３５フィルムシステムでの撮影倍率βｓを等倍(×１)に設定した後にシャッタボタン４が半押しされる場合には、図６に示すようにトリミング枠ＴＦがライブビュー画像ＰＩに重ね合わされて表示される。このトリミング枠ＴＦは、１３５フィルムシステムにおいて撮影倍率を等倍として撮影する場合の撮影可能範囲を表しているが、１３５フィルムに写る被写体像を基準とした撮影倍率βｃの算出について以下で説明する。
【００６９】
図７は、１３５フィルムシステムでの撮影倍率を説明するための概念図である。
【００７０】
１３５フィルムシステムでは、被写体からの光像がレンズを含む撮影光学系ＬＮによって縦２４ｍｍ×横３６ｍｍの１３５フィルムＦＭに結像されることで撮影が行われる。
【００７１】
ここで、水平方向に３６ｍｍの横幅を有する被写体ＳＢ１を１３５フィルムＦＭ一杯に結像させた場合には、１３５フィルムの横幅が被写体の横幅に対して等倍となるため、撮影倍率は等倍(「×１.０」)となる。一方、７２ｍｍの横幅を有する被写体ＳＢ２を１３５フィルムＦＭ一杯に結像させた場合には、１３５フィルムの横幅が被写体の横幅に対して１/２倍となるため、撮影倍率は１/２となる。
【００７２】
上記の１３５フィルムＦＭと撮像素子１０とは、そのサイズやアスペクト比が異なるため、撮像装置１において１３５フィルムシステムにおける撮影倍率の撮影を行うのは難しい。特に、クローズアップレンズ６がカメラ本体２に装着される場合には、撮影レンズ３のみならずクローズアップレンズ６の倍率（焦点距離）を考慮する必要があるため、一層困難となる。
【００７３】
そこで、撮像装置１においては、クローズアップレンズ６などのコンバージョンレンズがカメラ本体２に装着される場合でも、１３５フィルムシステムの撮影倍率に応じた撮影範囲を示すトリミング枠を表示できるようになっている。このトリミング枠の表示について、以下で詳しく説明する。
【００７４】
まず、撮像装置１では、ＡＦやＭＦによりピント合わせが行われると、距離検出部２９で撮影距離Ｘｃ(mm)の情報を取得するとともに、撮影レンズ３内のズームレンズ３２等の位置から求めた撮影レンズ３の焦点距離ｆｃ(mm)の情報を演算部２１が取得する。一方、装着検出部２８で検出した情報に基づき装着レンズＬＵＴ２３ａを参照して、装着されたクローズアップレンズ６の焦点距離ｆ(mm)の情報を演算部２１で取得しておく。
【００７５】
次に、演算部２１において、撮像素子１０における光電変換領域の横幅ａおよびデジタルズーム倍率ＤＺを次の式(１)に代入して撮影対象の被写体の横幅ｔを算出する。
【００７６】
【数１】
2006324867.tif 000003
【００７７】
ここで、ｍは撮像装置１の像倍率であるが、この像倍率ｍは撮影距離Ｘｃを利用して次の式(２)により計算する。
【００７８】
【数２】
2006324867.tif 000004
【００７９】
ここで、ｆｏは撮影レンズ３とクローズアップレンズ６との合焦点距離であり、Ｈは撮影レンズ３の主点とクローズアップレンズ６の主点との距離である。
【００８０】
上記の合焦点距離ｆｏは、演算部２１で取得した撮影レンズ３の焦点距離ｆｃとクローズアップレンズ６の焦点距離ｆとに基づき次の式(３)により算出する。
【００８１】
【数３】
2006324867.tif 000005
【００８２】
また、上式(２)、(３)の主点間距離Ｈについては、メモリ２２に記憶される主点間距離ＬＵＴ(図８)を用いて求められる。
【００８３】
具体的には、装着されるクローズアップレンズ６の焦点距離ｆと撮影レンズ３の焦点距離ｆｃとに基づき図８(ａ)に示すデータテーブルを参照してＨｎ(ｎ：整数)を求め、このＨｎと撮影距離Ｘｃとに基づき図８(ｂ)に示すデータテーブルを参照して主点間距離(mm)を算出する。例えば、ｆｃ＝２０ｍｍ、ｆ＝１０００ｍｍ、Ｘｃ＝３００ｍｍの条件では、主点間距離Ｈ＝１９９ｍｍが求まることとなる。なお、図８(ｂ)のデータテーブルでは、撮影距離が１００ｍｍ刻みとなっているが、これらの中間の撮影距離に該当する場合には、補間計算で主点間距離を算出するのが好ましい。
【００８４】
そして、以上の式(１)〜(３)および主点間距離ＬＵＴ(図８)を用いて得られた被写体の横幅ｔを次の式(４)に代入することで、横幅３６ｍｍの１３５フィルムに換算した撮影倍率βｃが算出される。
【００８５】
【数４】
2006324867.tif 000006
【００８６】
最後に、ボタン群ＢＧで指定される撮影倍率βｓと上式(４)によって算出された撮影倍率βｃとの比率（βｃ／βｓ）と、図６に示す表示画面ＤＳの横幅Ｗｄとトリミング枠ＴＦの横幅Ｗｔとの比率（Ｗｔ／Ｗｓ）とを一致させるようにトリミング枠ＴＦの横幅Ｗｔを算出し、表示画面ＤＳと相似なトリミング枠ＴＦを表示画面ＤＳの中央に表示する。
【００８７】
以上のように撮像装置２では、１３５フィルムシステムの撮影倍率に対応したトリミング枠ＴＦを表示画面ＤＳに表示できるようになっているが、この撮像装置２の具体的な動作を以下で説明する。
【００８８】
＜撮像装置２の動作＞
図９は、撮像装置１の基本的な動作を示すフローチャートである。
【００８９】
まず、撮影者がボタン群ＢＧ(図５)から１のボタンを選択することで、１３５フィルムシステムの撮影倍率βｓが設定される(ステップＳＴ１)。
【００９０】
ステップＳＴ２では、シャッタボタン４が撮影者によって半押しされているかを判定する。ここで、半押しされている場合には、ＡＦ動作を開始してステップＳＴ３に進み、半押しされていない場合には、ステップＳＴ２を繰り返す。
【００９１】
ステップＳＴ３では、ステップＳＴ１で指定された撮影倍率βｓに対応したトリミング枠ＴＦが表示画面ＤＳに表示可能であるかを判定する。具体的には、上記の式(４)で算出された撮影倍率βｃがステップＳＴ１で設定された撮影倍率βｓ以下となってトリミング枠ＴＦが表示画面ＤＳ内に収まるかを判断する。ここで、トリミング枠ＴＦが表示可能である場合には、ステップＳＴ５に進む。一方、表示画面ＤＳ、換言すれば撮像素子１０による被写体の撮像範囲からトリミング枠ＴＦがはみ出だして、トリミング枠ＴＦの適切な表示が不可能である場合には、ステップＳＴ４に進む。
【００９２】
ステップＳＴ４では、例えば図１０に示す警告表示ＡＬを表示画面ＤＳで行われる。これにより、撮影者は現状のままでは所望の撮影が困難であることを認識できるため、撮影者が例えばズーム倍率や被写体までの撮影距離を変化させたり撮影倍率を変更することを行えば、適切な撮影を行えるようになる。なお、警告表示ＡＬの代わりに撮像装置２から警告音を発するようにしても良い。
【００９３】
ステップＳＴ５では、例えば図６に示すようにトリミング枠ＴＦをライブビュー画像ＰＩとともに表示画面ＤＳに表示する。すなわち、被写体に対する撮像装置２での合焦(ＡＦ)後に、ステップＳＴ１で指定された撮影倍率で当該被写体に対する１３５フィルムを用いた写真撮影が行われる場合の撮影範囲を求め、本撮影前の撮影準備状態において表示画面ＤＳに撮像素子１０で取得されるライブビュー画像(被写体画像)を表示させるとともに、上記の撮影範囲を示す表示を行わせる。
【００９４】
ステップＳＴ６では、シャッタボタン４が撮影者によって全押しされているかを判定する。ここで、全押しされている場合には、本撮影を行ってステップＳＴ７に進み、全押しされていない場合には、ステップＳＴ２に戻る。
【００９５】
ステップＳＴ７では、アフタービュー表示を行う。すなわち、本撮影によって取得した撮影画像を表示画面ＤＳに表示させる。これにより、撮影者は撮影が成功したか失敗したかを判断できる。
【００９６】
ステップＳＴ８では、ステップＳＴ７でアフタービュー表示される撮影画像を保存するかを判定する。具体的には、操作部２４を用いて撮影者が撮影画像を保存するための操作を行ったか否かを判断する。ここで、画像保存を行う場合には、ステップＳＴ９に進み、撮影が失敗して画像保存しない場合には、ステップＳＴ２に戻る。
【００９７】
ステップＳＴ９では、撮影画像をメモリカード９２に保存する。この場合、被写体を本撮影して得られた被写体画像(撮影画像)の全画像データが保存されるとともに、図１１に示す情報がメモリカード９２に保存される。すなわち、表示画面ＤＳで表示されていたトリミング枠ＴＦの位置情報(例えば撮影画像におけるピクセル位置の情報)つまり撮影範囲の情報や、指定された撮影倍率βｓの情報、クローズアップレンズ６等のコンバージョンレンズの装着の有無などの情報が撮影画像とともに記録されることとなる。なお、撮像装置２では印刷部５７の印刷倍率もプリ設定できるようになっているが、この設定された印刷倍率も記録される。
【００９８】
以上の撮像装置２の動作により、指定の撮影倍率で１３５フィルムを用いたものと同様の撮影が行われる場合の撮影範囲を示すトリミング枠ＴＦをライブビュー画像ＰＩに重畳させて表示画面ＤＳに表示するため、本撮影後に撮影画像からトリミング枠ＴＦ内の画像をトリミングすれば、指定の撮影倍率による１３５フィルムの写真撮影で得られる撮影画像と同等の画像を簡易に取得できる。
【００９９】
撮像装置２による本撮影後には、撮影画像とトリミング枠ＴＦの情報とが保存されているメモリカード９２をＰＣ５のドライブ５０２にセットし、ＰＣ５の記憶部５５内の印刷プログラムＰＧを起動することで、１３５フィルムシステムの撮影倍率βｓに対応した画像のプリントが可能であるが、このＰＣ５の具体的な動作を以下で説明する。
【０１００】
＜ＰＣ５の動作＞
図１２は、ＰＣ５の基本的な動作を示すフローチャートである。本動作は、撮像装置２において例えば図１３に示すトリミング枠ＴＦを表示しつつ撮影された画像について、図１４に示す全体画像Ｇｏとトリミング枠ＴＦ内のトリミング画像Ｇｔとを同時にプリントするための動作である。
【０１０１】
まず、撮影画像と図１１に示す情報とが保存されたメモリカード９２をＰＣ５のドライブ５０２にセットする。そして、記憶部５５に格納される印刷プログラムＰＧを起動し、メモリカード９２に記録される画像データと、その関連情報(図１１)とを読込む（ステップＳＴ１１〜ＳＴ１２）。
【０１０２】
これにより、例えば図１５に示すウィンドウ画面ＷＮが表示部５２に表示される。このウィンドウ画面ＷＮには、撮影画像から撮影時のトリミング枠ＴＦ内の画像部分を抽出したトリミング画像ＴＧが表示されるとともに、メモリカード９２に記録される撮影画像の関連情報(図１１)に基づく撮影倍率や印刷倍率などの情報Ｄａが表示される。
【０１０３】
ステップＳＴ１３では、印刷倍率を指定する。ここでは、例えばウィンドウ画面ＷＮ上の「印刷倍率」ボタンＢｍをクリックして表示されるダイアログで印刷倍率(プリント倍率)を設定する。なお、撮像装置１でプリ設定された印刷倍率(図１１)でプリントする場合には、本動作は不要となる。
【０１０４】
ステップＳＴ１４では、プリントする全体画像Ｇｏ(図１４)の画像サイズを調整する。具体的には、全体画像Ｇｏをプリントする印刷用紙ＳＨの領域（縦・横方向の長さ）と印刷解像度(ｄｐｉ)とを乗算することで得られる画像サイズ（縦・横方向のピクセル数）に適合させるように、間引き処理や補間処理を行って全体画像Ｇｏの画素数を変換する。なお、全体画像Ｇｏの撮影倍率は指定の撮影倍率βｓより小さいため、被写体の大きさの正確な把握には適さないものの、トリミング画像Ｇｔ周辺の画像情報が得られることとなる。
【０１０５】
ステップＳＴ１５では、プリントするトリミング画像Ｇｔ(図１４)の画像サイズを調整する。具体的には、設定されている撮影倍率および印刷倍率に基づきトリミング画像をプリントする際の印刷用紙ＳＨの範囲を求め、この範囲にトリミング画像ＧｔがプリントできるようにステップＳＴ１４と同様の処理で画素数の変換を行う。
【０１０６】
ステップＳＴ１６では、ステップＳＴ１４〜ＳＴ１５で画像サイズが調整された全体画像Ｇｏとトリミング画像Ｇｔとを印刷する。すなわち、図１４に示すように撮像装置２で取得した全体画像(被写体画像)Ｇｏが印刷用紙ＳＨにプリントされるとともに、全体画像Ｇｏのうち１３５フィルムシステムの撮影範囲に対応した画像部分(トリミング画像Ｇｔ)についてステップＳＴ１３で指定されたプリント倍率によるプリントが行われる。なお、印刷用紙ＳＨには、情報Ｄａ(図１５)と同様の情報Ｄｂもプリントされる。
【０１０７】
なお、図１２のフローチャートに示す動作は、全体画像Ｇｏとトリミング画像Ｇｔとの２つの画像をプリントするものであったが、トリミング画像Ｇｔのみを印刷用紙ＳＨにプリントするようにしても良い。
【０１０８】
以上のＰＣ５の動作により、トリミング枠ＴＦ内のトリミング画像が指定のプリント倍率でプリントされるため、トリミング画像を所望の拡大率でプリントできる。さらに、１枚の用紙にトリミング画像Ｇｔと全体画像Ｇｏとをプリントするため、トリミング画像Ｇｔとともに、その周辺画像を視認できる。
【０１０９】
なお、ＰＣ５によるプリントでは、図１４に示すように全体画像Ｇｏとトリミング画像Ｇｔとの２種類の画像をプリントするのは必須でなく、例えば図１６に示すように２種類の印刷倍率（情報Ｄｃに示す「×２」、「×５」）を設定して各印刷倍率によるトリミング画像Ｇｔ１、Ｇｔ２のプリントを１枚の印刷用紙ＳＨに行うようにしても良い。また、被写体の大きさの正確な把握を図るために、トリミング画像上に被写体の大きさの指標として働くメジャーＭＪ(図１６)をプリントしても良い。
【０１１０】
＜変形例＞
◎上記の実施形態における撮像装置２においては、撮影画像の全体をメモリカード９２に保存するのは必須でなく、トリミング枠ＴＦ内の画像部分のみ保存するようにしても良い。このように被写体を本撮影して得られた被写体画像(撮影画像)からトリミング枠ＴＦで示される撮影範囲に対応した画像部分を抽出し、この画像部分のみを記録することで、メモリカード９２に保存される画像ファイルのデータサイズを削減できる。
【０１１１】
また、撮像装置２は、図６に示すように指定の撮影倍率に対応したトリミング枠ＴＦを表示画面ＤＳに表示させるのは必須でなく、図１７に示すように被写体の大きさを表すメジャーチップＭＴを表示画面ＤＳに表示させるようにしても良い。そして、撮影画像にメジャーチップＭＴを写し込んでメモリカード９２に保存し、メジャーチップＭＴが正しいサイズとなるように撮影画像をプリントすれば、プリントされた画像において被写体の大きさの把握が容易となる。なお、メジャーチップＭＴの色については、人間の歯列を撮影する場合には人間の口腔内にあまり存在しない色(例えば青色)にするのが好ましい。これにより、簡単な画像パターン認識アルゴリズムによってメジャーチップＭＴを識別できることとなる。
【０１１２】
◎上記の実施形態におけるプリントシステム１については、メモリカード９２を媒体として撮像装置２からＰＣ５に画像データ等を送るのは必須でなく、撮像装置２とＰＣ５とを接続するケーブルを介して画像データ等を送信するようにしても良い。
【０１１３】
◎上記の実施形態においては、１３５フィルムシステムでの撮影範囲を示すためにトリミング枠を表示するのは必須ではなく、例えば撮影範囲の内部と外部とで色合いを異ならせるようにしても良い。
【０１１４】
◎上記の実施形態においては、１３５フィルムシステムに関する撮影倍率を指定するのは必須でなく、撮像装置２内の撮像素子１０に関する撮影倍率を指定するようにしても良い。
【０１１５】
◎上記の実施形態においては、表示画面ＤＳでトリミング枠ＴＦの表示が不可能な場合に警告(図９のステップＳＴ４)を行うのは必須でなく、ズームレンズ３２を所定量移動させることにより撮影レンズ３の焦点距離を自動的に変更してトリミング枠ＴＦを表示画面ＤＳ内に収めるようにしても良い。
【図面の簡単な説明】
【０１１６】
【図１】本発明の実施形態に係るプリントシステム１の外観構成を示す概略図である。
【図２】撮像装置２の要部構成を示す斜視図である。
【図３】撮像装置２の機能構成を示すブロック図である。
【図４】パーソナルコンピュータ５の機能構成を示すブロック図である。
【図５】撮影倍率を指定するためのユーザ・インターフェースを説明するための図である。
【図６】トリミング枠ＴＦを説明するための図である。
【図７】１３５フィルムシステムでの撮影倍率を説明するための概念図である。
【図８】主点間距離ＬＵＴを示す図である。
【図９】撮像装置１の基本的な動作を示すフローチャートである。
【図１０】警告表示ＡＬを説明するための図である。
【図１１】撮影画像とともに保存される情報を示す図である。
【図１２】パーソナルコンピュータ５の基本的な動作を示すフローチャートである。
【図１３】撮影時に表示されていたトリミング枠ＴＦを説明するための図である。
【図１４】トリミング画像Ｇｔのプリントの一例を示す図である。
【図１５】印刷プログラムＰＧの起動によって表示されるウィンドウ画面ＷＮを示す図である。
【図１６】トリミング画像Ｇｔのプリントの一例を示す図である。
【図１７】表示画面ＤＳに表示されるメジャーチップＭＴを説明するための図である。
【符号の説明】
【０１１７】
１  プリントシステム
２  撮像装置
４  シャッタボタン
５  パーソナルコンピュータ(ＰＣ)
１７  電子ファインダ
１８  液晶ディスプレイ
５４  制御部
５７  印刷部
９２  メモリカード
ＡＬ  警告表示
ＤＳ  表示画面
Ｇｏ  全体画像
Ｇｔ、Ｇｔ１、Ｇｔ２、ＴＧ  トリミング画像
ＰＩ  ライブビュー画像
ＰＧ  印刷プログラム
ＳＨ  印刷用紙
ＴＦ  トリミング枠
【図１】
2006324867.tif 000007
【図２】
2006324867.tif 000008
【図３】
2006324867.tif 000009
【図４】
2006324867.tif 000010
【図５】
2006324867.tif 000011
【図６】
2006324867.tif 000012
【図７】
2006324867.tif 000013
【図８】
2006324867.tif 000014
【図９】
2006324867.tif 000015
【図１０】
2006324867.tif 000016
【図１１】
2006324867.tif 000017
【図１２】
2006324867.tif 000018
【図１３】
2006324867.tif 000019
【図１４】
2006324867.tif 000020
【図１５】
2006324867.tif 000021
【図１６】
2006324867.tif 000022
【図１７】
2006324867.tif 000023